(57)【要約】      （修正有）【課題】巻取りウェブを水平状態で運搬し、他の装置、等の挿入シャフトに対向させ、巻取りウェブ運搬装置のシャフトと、他の装置、等の挿入シャフトとの間の位置合わせを簡単かつ、正確に行う。【解決手段】巻取りウェブ支持用シャフト１１の先端に、軸心方向に伸びるカメラ装置が内蔵されている。巻取りウェブ支持用シャフトの先端面が、挿入シャフトの先端面と正確に対向している状態で前記カメラ装置が取得している基準の画像情報と、巻取りウェブ支持用シャフトと挿入シャフトの先端面とを対向させた状態でカメラ装置が取得した作業時の画像情報とを比較する。作業時の画像情報が、基準の画像情報と一致する状態になるまで、巻取りウェブ支持用シャフトの位置を移動させる巻取りウェブ運搬装置の位置合わせ機構。【選択図】図１
2020105009.tif 000002
【特許請求の範囲】
【請求項１】
巻取りウェブ運搬装置の巻取りウェブ支持用シャフトと、これに対向していて水平方向に伸びている挿入シャフトとの位置合わせ機構であって、
前記巻取りウェブ支持用シャフトの先端に、光軸が前記巻取りウェブ支持用シャフトの軸心方向に伸びるカメラ装置が内蔵されており、
水平方向に伸びている前記巻取りウェブ支持用シャフトの先端面が、水平方向に伸びている前記挿入シャフトの先端面と正確に対向している状態で前記カメラ装置が取得している基準の画像情報と、
前記巻取りウェブ支持用シャフトと前記挿入シャフトとの間でどちらかが水平状態に支持している巻取りウェブを他方へ移動させるべく前記巻取りウェブ支持用シャフトの先端面と前記挿入シャフトの先端面とを対向させた状態で前記カメラ装置が取得した作業時の画像情報とを比較し、
前記作業時の画像情報が、前記基準の画像情報と一致する状態になるまで、前記巻取りウェブ支持用シャフトの位置を移動させる
巻取りウェブ運搬装置の位置合わせ機構。
【請求項２】
巻取りウェブ運搬装置の巻取りウェブ支持用シャフトと、これに対向していて水平方向に伸びている挿入シャフトとの位置合わせ機構であって、
前記巻取りウェブ支持用シャフトは、
水平方向に伸びている状態で、上下方向移動及び、上下方向に直交する左右方向移動が可能になるように前記巻取りウェブ運搬装置に配備されていると共に、
前記巻取りウェブ運搬装置に支持されている前記巻取りウェブ支持用シャフトの基端部を中心とした、前記巻取りウェブ支持用シャフト先端の、前記上下方向での旋回移動及び前記左右方向での旋回移動が可能になるように前記巻取りウェブ運搬装置に配備されおり、
前記巻取りウェブ支持用シャフトの先端に内蔵されていて、光軸が前記巻取りウェブ支持用シャフトの軸心方向に伸びるカメラ装置と、
前記カメラ装置が取得した対向している前記挿入シャフト先端の画像情報に基づいて、前記巻取りウェブ支持用シャフトの前記上下方向移動及び前記左右方向移動と、前記巻取りウェブ支持用シャフト先端の上下方向での前記旋回移動及び左右方向での前記旋回移動を行わせる制御部と
を備えている巻取りウェブ運搬装置の位置合わせ機構。
【発明の詳細な説明】
【技術分野】
【０００１】
この発明は、合成樹脂フィルム、紙、フィルムラミネート紙などを巻取り軸に巻き取った巻取りウェブの運搬に使用する巻取りウェブの運搬装置に関する。
【背景技術】
【０００２】
合成樹脂フィルム、紙、フィルムラミネート紙などを巻取り軸に巻き取った巻取りウェブは重量が嵩むので運搬は容易ではない。本願出願人は巻取りウェブ運搬装置についてこれまで種々の提案を行っている。
【０００３】
特許文献１では、巻き取りウェブを、その巻き取り軸が水平の状態と垂直状態で支持できるようにした巻取りウェブ受が運搬台車に設けられている巻取りウェブの運搬装置を提案している。
【０００４】
特許文献２では、巻取りウェブの巻取りウェブ受けへの受入れ、巻取りウェブのパレット中央部からの持ち上げ、パレット中央部への搭載を簡単に行うことのできる巻き取りウェブの運搬装置を提案した。
【０００５】
特許文献３では、小回り特性に優れた重量物運搬用の駆動式運搬台車と、駆動式運搬台車を利用した小回り特性に優れた巻取りウェブの運搬装置を提案した。
【０００６】
特許文献４では、巻取りウェブを多段に積み重ねたり、多段に積み重ねた巻取りウェブを上段から順次取り出すのに好適な巻取りウェブの運搬装置を提案した。
【先行技術文献】
【特許文献】
【０００７】
【特許文献１】特開平７−１５７１５５号公報
【特許文献２】特開平１１−２９２３５９号公報
【特許文献３】特開２０００−１６８５６６号公報
【特許文献４】特開２００７−１１２５６６号公報
【発明の概要】
【発明が解決しようとする課題】
【０００８】
合成樹脂フィルム、紙、フィルムラミネート紙などを巻取り軸に巻き取った巻取りウェブではその中央に孔が形成されている。このような巻取りウェブを運搬する場合、巻取りウェブ運搬装置が備えている巻取りウェブ支持用シャフトを巻取りウェブの中心の孔に挿入して巻取りウェブを水平状態で運搬し、他の装置、等の挿入シャフトに対向させ、巻取りウェブを巻取りウェブ運搬装置の巻取りウェブ支持用シャフトから他の装置、等の挿入シャフトに受け渡す、等の作業を行うことがある。
【０００９】
このような作業の時に、巻取りウェブは重量が嵩んでいるため、水平状態の巻取りウェブ運搬装置のシャフトと、他の装置、等の挿入シャフトとの位置を正確に合わせることは容易でない。正確な位置合わせができていないと思わぬ事故が発生する原因等になる。
【００１０】
そこで、この発明は、巻取りウェブ運搬装置が備えている巻取りウェブ支持用シャフトを巻取りウェブの中心の孔に挿入して巻取りウェブを水平状態で運搬し、他の装置、等の挿入シャフトに対向させ、巻取りウェブを巻取りウェブ支持用シャフトから他の装置、等の挿入シャフトに受け渡す、等の作業の際に、巻取りウェブ運搬装置の巻取りウェブ支持用シャフトと、他の装置、等の挿入シャフトとの間の位置合わせを簡単かつ、正確に行うことのできる位置合わせ機構を提案することを目的にしている。
【課題を解決するための手段】
【００１１】
［１］
巻取りウェブ運搬装置の巻取りウェブ支持用シャフトと、これに対向していて水平方向に伸びている挿入シャフトとの位置合わせ機構であって、
前記巻取りウェブ支持用シャフトの先端に、光軸が前記巻取りウェブ支持用シャフトの軸心方向に伸びるカメラ装置が内蔵されており、
水平方向に伸びている前記巻取りウェブ支持用シャフトの先端面が、水平方向に伸びている前記挿入シャフトの先端面と正確に対向している状態で前記カメラ装置が取得している基準の画像情報と、
前記巻取りウェブ支持用シャフトと前記挿入シャフトとの間でどちらかが水平状態に支持している巻取りウェブを他方へ移動させるべく前記巻取りウェブ支持用シャフトの先端面と前記挿入シャフトの先端面とを対向させた状態で前記カメラ装置が取得した作業時の画像情報とを比較し、
前記作業時の画像情報が、前記基準の画像情報と一致する状態になるまで、前記巻取りウェブ支持用シャフトの位置を移動させる
巻取りウェブ運搬装置の位置合わせ機構。
【００１２】
［２］
巻取りウェブ運搬装置の巻取りウェブ支持用シャフトと、これに対向していて水平方向に伸びている挿入シャフトとの位置合わせ機構であって、
前記巻取りウェブ支持用シャフトは、
水平方向に伸びている状態で、上下方向移動及び、上下方向に直交する左右方向移動が可能になるように前記巻取りウェブ運搬装置に配備されていると共に、
前記巻取りウェブ運搬装置に支持されている前記巻取りウェブ支持用シャフトの基端部を中心とした、前記巻取りウェブ支持用シャフト先端の、前記上下方向での旋回移動及び前記左右方向での旋回移動が可能になるように前記巻取りウェブ運搬装置に配備されおり、
前記巻取りウェブ支持用シャフトの先端に内蔵されていて、光軸が前記巻取りウェブ支持用シャフトの軸心方向に伸びるカメラ装置と、
前記カメラ装置が取得した対向している前記挿入シャフト先端の画像情報に基づいて、前記巻取りウェブ支持用シャフトの前記上下方向移動及び前記左右方向移動と、前記巻取りウェブ支持用シャフト先端の上下方向での前記旋回移動及び左右方向での前記旋回移動を行わせる制御部と
を備えている巻取りウェブ運搬装置の位置合わせ機構。
【発明の効果】
【００１３】
この発明によれば、巻取りウェブ運搬装置が備えている巻取りウェブ支持用シャフトを巻取りウェブの中心の孔に挿入して巻取りウェブを水平状態で運搬し、他の装置、等の挿入シャフトに対向させ、巻取りウェブを巻取りウェブ支持用シャフトから他の装置、等の挿入シャフトに受け渡す、等の作業の際に、巻取りウェブ運搬装置の巻取りウェブ支持用シャフトと、他の装置、等の挿入シャフトとの間の位置合わせを簡単かつ、正確に行うことのできる位置合わせ機構を提供することができる。
【図面の簡単な説明】
【００１４】
【図１】（ａ）この発明の位置合わせ機構を備えている巻取りウェブ運搬装置の一例を説明する一部を省略した側面図、（ｂ）この発明の位置合わせ機構を備えている巻取りウェブ運搬装置の一例を説明する一部を省略した平面図。
【図２】（ａ）この発明の位置合わせ機構を備えている巻取りウェブ運搬装置の一例を説明する一部を省略した正面図、（ｂ）巻取りウェブ運搬装置が備えている巻取りウェブ支持用シャフトを巻取りウェブの中心の孔に挿入して巻取りウェブを水平状態で運搬し、巻取りウェブ支持用シャフトの先端面を、他の装置、等の挿入シャフトの先端面に対向させ、巻取りウェブを巻取りウェブ支持用シャフトから他の装置、等の挿入シャフトに受け渡す、等の作業を行う状態を説明する一部を省略した平面図。
【図３】（ａ）この発明の位置合わせ機構を備えている巻取りウェブ運搬装置の巻取りウェブ支持用シャフト先端の正面図、（ｂ）この発明の位置合わせ機構を備えている巻取りウェブ運搬装置の巻取りウェブ支持用シャフト先端側の内部構造を説明する一部を省略した側面図。
【図４】この発明の位置合わせ機構による位置合わせの状態を説明する一部を省略した図であって、（ａ）は巻取りウェブ支持用シャフトの上下方向移動を巻取りウェブ支持用シャフトの側面側から見て説明する図、（ｂ）は巻取りウェブ支持用シャフトの上下方向に直交する方向である左右方向移動を巻取りウェブ支持用シャフトの正面側から見て説明する図、（ｃ）は巻取りウェブ支持用シャフト先端が巻取りウェブ運搬装置に支持されている巻取りウェブ支持用シャフトの基端部を中心として上下方向で旋回移動する状態を巻取りウェブ支持用シャフトの側面側から見て説明する図、（ｄ）は巻取りウェブ支持用シャフト先端が巻取りウェブ運搬装置に支持されている巻取りウェブ支持用シャフトの基端部を中心として左右方向で旋回移動する状態を巻取りウェブ支持用シャフトの上側から見て説明する図。
【発明を実施するための形態】
【００１５】
この実施形態の巻取りウェブ運搬装置の位置合わせ機構は次のように構成されている。
【００１６】
巻取りウェブ運搬装置１の巻取りウェブ支持用シャフト１１と、これに対向していて水平方向に伸びている挿入シャフト２１との位置合わせ機構である。
【００１７】
巻取りウェブ支持用シャフト１１の先端に、光軸が巻取りウェブ支持用シャフト１１の軸心方向に伸びるカメラ装置１２が内蔵されている。
【００１８】
水平方向に伸びている巻取りウェブ支持用シャフト１１の先端面１１ａが、水平方向に伸びている挿入シャフト２１の先端面と正確に対向している状態でカメラ装置１２は、光軸方向である、巻取りウェブ支持用シャフト１１の軸心方向で前方の画像情報を、基準の画像情報として取得する。コンピュータの機能を備えている制御部（不図示）が基準の画像情報を記憶、格納しておく。
【００１９】
巻取りウェブ支持用シャフト１１と挿入シャフト２１との間でどちらかが水平状態に支持している巻取りウェブ２０を他方へ移動させるべく巻取りウェブ支持用シャフト１１の先端面１１ａと挿入シャフト２１の先端面とを対向させた状態で、カメラ装置１２が、光軸方向である、巻取りウェブ支持用シャフト１１の軸心方向で前方の画像情報を、作業時の画像情報として取得する。
【００２０】
コンピュータの機能を備えている制御部（不図示）は、基準の画像情報と作業時の画像情報とを比較し、作業時の画像情報が、基準の画像情報と一致する状態になるまで、巻取りウェブ支持用シャフト１１の位置を移動させる制御・指示を出す。
【００２１】
この制御、指示に従って、巻取りウェブ支持用シャフト１１の位置を移動させる駆動機構が所定の駆動処理を行って、水平方向に伸びている巻取りウェブ支持用シャフト１１の先端面１１ａが、水平方向に伸びている挿入シャフト２１の先端面と正確に対向する状態になるまで、巻取りウェブ支持用シャフト１１の位置を移動させる。
【００２２】
これによって、巻取りウェブ運搬装置１が備えている巻取りウェブ支持用シャフト１１を巻取りウェブ２０の中心の孔２０ａに挿入して巻取りウェブ２０を水平状態で運搬し、他の装置、等の挿入シャフト２１に対向させ、巻取りウェブ２０を巻取りウェブ支持用シャフト１１から他の装置、等の挿入シャフト２１に受け渡す、等の作業の際に、巻取りウェブ運搬装置１の巻取りウェブ支持用シャフト１１と、他の装置、等の挿入シャフト２１との間の位置合わせを簡単かつ、正確に行うことができる。以下、この実施形態の一例を説明する。
【実施例】
【００２３】
この実施例の位置合わせ機構を備えている巻取りウェブ運搬装置１は、従来公知のように、基台２上に、駆動部７が、基台２に対して矢印３２、３３で示す上下方向移動可能で、矢印３８、３９で示す、上下方向に直交する方向である左右方向に移動可能に配備されている。
【００２４】
基台２は支持部３及び、支持部３の左右両端側（図１（ｂ）における上下両端側）からそれぞれ前方（図１（ｂ）における右側）に向かって水平方向に伸びる支持部４、５を備えていて、全体としては、図１（ｂ）図示のように平面視で矩形状になっている。
【００２５】
この平面視で矩形状の４個の角部に相当する箇所に車輪６ａ、６ｂ、６ｃ、６ｄがそれぞれ配備されている。車輪６ａ、６ｂ、６ｃ、６ｄは不図示の駆動機構によって駆動され、これによって、巻取りウェブ運搬装置１は床面５０上を矢印３０、３１で示す前後方向や、これに直交する左右方向、等々、種々の方向に移動する。
【００２６】
駆動部７はその前方側に、前方（図１（ａ）における右側）に向かって伸びる巻取りウェブ支持用シャフト１１を支持している。
【００２７】
巻取りウェブ２０の中心の孔２０ａに巻取りウェブ支持用シャフト１１を先端側から挿入して巻取りウェブ２０を水平状態で支持し、巻取りウェブ運搬装置１によって運搬する。
【００２８】
巻取りウェブ支持用シャフト１１を支持している駆動部７が基台２に対して矢印３２、３３で示す上下方向移動可能で、矢印３８、３９で示す、上下方向に直交する方向である左右方向に移動可能であることから、巻取りウェブ支持用シャフト１１も、図１（ａ）図示のように、水平方向に伸びている状態で、上下方向移動及び、上下方向に直交する左右方向移動が可能になるように巻取りウェブ運搬装置１に配備されている。
【００２９】
また、巻取りウェブ運搬装置１に支持されている巻取りウェブ支持用シャフト１１の基端部（図１における左端部）を中心とした、巻取りウェブ支持用シャフト先端（図１における右端部）の、矢印４０、４１（図４（ｃ））で示す上下方向での旋回移動及び、矢印４２、４３（図４（ｄ））で示す左右方向での旋回移動が可能になるように、巻取りウェブ支持用シャフト１１は、巻取りウェブ運搬装置１に配備されている。
【００３０】
巻取りウェブ支持用シャフト１の先端（図１における右端部）にはカメラ装置１２が内蔵されている。図３（ｂ）図示のように、光軸が巻取りウェブ支持用シャフト１１の軸心方向に伸びるカメラ装置１２が巻取りウェブ支持用シャフト１の先端（図１における右端部）に内蔵されている。
【００３１】
ウェブ支持用シャフト１の先端面１１ａの中央にはカメラ装置１２の撮像レンズ１３が配備されている（図３（ｂ））。撮像レンズ１３が配備されているウェブ支持用シャフト１の先端面１１ａの中央は、巻取りウェブ支持用シャフト１１の軸心が通る位置である。
【００３２】
カメラ装置１２は、撮像レンズ１３を介して、光軸方向である、巻取りウェブ支持用シャフト１１の軸心方向で前方の画像情報を取得する。
【００３３】
巻取りウェブ運搬装置１が備えている巻取りウェブ支持用シャフト１１を巻取りウェブ２０の中心の孔２０ａに挿入して巻取りウェブ２０を水平状態で運搬し、他の装置、等の挿入シャフト２１に対向させ（図２（ｂ））、矢印３４で示すように、巻取りウェブ２０を巻取りウェブ運搬装置１の巻取りウェブ支持用シャフト１１から他の装置、等の挿入シャフト２１に受け渡す。あるいは、破線２０で示すように、水平状態の挿入シャフト２１に支持されている巻取りウェブ２０を、挿入シャフト２１の先端面に対して先端面１１ａが対向している状態の巻取りウェブ支持用シャフト１１に対して、矢印３５で示すように、移動させる。
【００３４】
このように、巻取りウェブ運搬装置１が備えている巻取りウェブ支持用シャフト１１を巻取りウェブ２０の中心の孔２０ａに挿入して巻取りウェブ２０を水平状態で運搬し、他の装置、等の挿入シャフト２１に対向させ、巻取りウェブ２０を巻取りウェブ支持用シャフト１１から他の装置、等の挿入シャフト２１に受け渡す、等の作業の際には、図２（ｂ）図示のように、巻取りウェブ支持用シャフト１１の先端面１１ａと、挿入シャフト２１の先端面とが対向する。
【００３５】
この実施形態の位置合わせ機構は、カメラ装置１２が取得した画像情報に基づいて、巻取りウェブ支持用シャフト１１の位置を移動、制御する制御部（不図示）により、カメラ装置１２が取得した対向している挿入シャフト２１の先端の画像情報に基づいて、巻取りウェブ支持用シャフト１１を矢印３２、３３で示す上下方に向移させ、あるいは、矢印３８、３９で示す、上下方向に直交する方向である左右方向に移動させる。また、カメラ装置１２が取得した対向している挿入シャフト２１の先端の画像情報に基づいて、巻取りウェブ運搬装置１に支持されている巻取りウェブ支持用シャフトの基端部（図１における左端部）を中心として、巻取りウェブ支持用シャフト先端（図１における右端部）を、矢印４０、４１（図４（ｃ））で示す上下方向での旋回移動あるいは、矢印４２、４３（図４（ｄ））で示す左右方向での旋回移動を行わせる。
【００３６】
前述した制御部（不図示）は、巻取りウェブ２０を水平状態で運搬してきた巻取りウェブ運搬装置１の巻取りウェブ支持用シャフト１１が、図２（ｂ）図示のように、先端面１１ａを挿入シャフト２１の先端面に対向させた時点でカメラ装置１２が取得している画像情報を、水平方向に伸びている挿入シャフト２１の先端面に対して、水平方向に伸びている巻取りウェブ支持用シャフト１１の先端面１１ａが正確に対向している状態でカメラ装置１２が取得していた画像情報と比較する。この比較により、必要な、前述した巻取りウェブ支持用シャフト１１の移動、巻取りウェブ支持用シャフト１１の先端部の移動を行わせることで、簡単かつ、正確に位置合わせを行うことができる。
【００３７】
以上、本発明の実施形態を説明したが本発明は上述した実施形態に限られるものではなく、特許請求の範囲の記載から把握される技術的範囲において種々に変更可能である。
【符号の説明】
【００３８】
１  巻取りウェブ運搬装置
２  基台
６ａ、６ｂ、６ｃ、６ｄ  車輪
７  駆動部
１１    巻取りウェブ支持用シャフト
１１ａ  巻取りウェブ支持用シャフト１の先端面
１２    カメラ装置
１３    撮像レンズ
２０    巻取りウェブ
２０ａ  巻取りウェブの中心の孔
５０    床面
【図１】
2020105009.tif 000003
【図２】
2020105009.tif 000004
【図３】
2020105009.tif 000005
【図４】
2020105009.tif 000006